(57)【要約】      （修正有）【課題】簡単な構造で、確実に、安定して界面活性剤成分で浴湯表面に泡を形成することができる発泡入浴玩具を提供する。【解決手段】合成樹脂シート２０で作られた袋体１２と、袋体の底部１２ｂ付近を除いて合成樹脂シートの下半部に設けられた通水用の多数の小穴部１４を有する。袋体の底部１２ｂに取り付けられた重り１６と、袋体の上半部に設けられた泡収容部１８を備える。合成樹脂シートの一方の側縁部近傍に、泡収容部の合成樹脂シートを貫通する透孔２２を備える。袋体は、気泡発生成分と界面活性成分を有する発泡剤２６を収容している。袋体は、左右対称形の合成樹脂シートを二つ折りして形成されている。【選択図】図１
0003235034.tif 000002
【実用新案登録請求の範囲】
【請求項１】
合成樹脂シートで作られた袋体と、前記袋体の底部付近を除いて上記合成樹脂シートの下
半部に設けられた通水用の多数の小穴部と、前記袋体の底部に取り付けられた重りと、前
記袋体の上半部に設けられた泡収容部とを備え、前記合成樹脂シートの一方の側縁部近傍
に、前記泡収容部の前記合成樹脂シートを貫通する透孔が設けられ、前記袋体には、気泡
発生成分と界面活性成分を有する発泡剤が入れられていることを特徴とする発泡入浴玩具
。
【考案の詳細な説明】
【技術分野】
【０００１】
この考案は、発泡剤とともに浴槽等に入れる発泡入浴玩具に関する。
【背景技術】
【０００２】
従来、浴槽に入れる入浴剤は、液体、粉末、固形等いろいろな種類がある。そして、固
形の入浴剤は、湯に直接入れて沈めて溶かすもの以外に、湯に浮かぶ玩具のような容器に
入れ、湯面で溶かすものがある。例えば、特許文献１に開示されている発泡入浴剤は、通
気性を有した袋体が設けられ、袋体の一方の端部に近い位置に透孔が設けられている。袋
体の中には、気泡発生剤と、界面活性剤である石鹸成分を有する発泡剤が入れられている
。この発泡入浴剤の使用方法は、浴湯に入れると、透孔側の端部は発泡剤により発生した
泡がたまって水面から浮かび、他方の端部には発泡剤が位置して発泡剤の重みで水面から
沈み、透孔からは袋体に満たされた泡が吐き出されるものである。
【０００３】
また、特許文献２に開示されている発泡推進容器は、発泡剤を収納する容器本体を有し
、容器本体には容器本体内に水を取り込む吸入口と、この吸入口から吸入された水と発泡
剤が反応して生成される気体を容器本体外に噴射させて容器本体を推進させる噴射口が設
けられている。容器本体は、左右一対のフィルムの周縁を貼り合わせて収納空間を形成し
たパウチにより構成されている。容器本体内部には、発泡剤の上方に気体が滞留する気体
滞留部が設けられ、容器本体の下方には重りが設けられている。容器本体の後側縁には噴
射口が設けられ、容器本体の下側縁には吸入口が設けられている。
［先行技術文献］
［特許文献］
【０００４】
［特許文献１］ 特開２００８−１００９４５号公報
［特許文献２］ 特開２００６−２１２２６４号公報
【考案の概要】
【考案が解決しようとする課題】
【０００５】
上記背景技術の場合、特許文献１の発泡入浴剤は、発泡剤が溶けて小さくなるに従い、
不安定になり倒れることがあった。これにより、最後に発泡剤が溶け終わるまで水面に泡
を吐き出すことができない場合があった。
【０００６】
特許文献２の発泡推進容器は、容器本体の下側縁には吸入口が設けられているため、こ
こから発泡した気体が逃げてしまものであり、うまく前へ進まないものであった。さらに
、噴射口は左右一対のフィルムの周縁を貼り合わせて収納空間を形成したパウチの一方の
端縁部に設けられているため、噴射口と反対方向に直進するだけであり、浴槽の内壁に当
たると動かなくなり、そこに発泡剤の成分がたまるという問題もあった。
【０００７】
この考案は、上記背景技術の問題点に鑑みてなされたものであり、簡単な構造で、確実
に、安定して界面活性剤成分で浴湯表面に泡を形成することができる発泡入浴玩具を提供
することを目的とする。
【課題を解決するための手段】
【０００８】
この考案は、合成樹脂シートで作られた袋体と、前記袋体の底部付近を除いて上記合成
樹脂シートの下半部に設けられた通水用の多数の小穴部と、前記袋体の底部に取り付けら
れた重りと、前記袋体の上半部に設けられた泡収容部とを備え、前記合成樹脂シートの一
方の側縁部近傍に、前記泡収容部の前記合成樹脂シートを貫通する透孔が設けられ、前記
袋体には、気泡発生成分と界面活性成分を有する発泡剤が入れられている発泡入浴玩具で
ある。
【０００９】
前記袋体は、左右対称形の合成樹脂シートを二つ折りして周縁部を互いにヒートシール
したものであり、前記合成樹脂シートの二つ折りされた一方の面には、二つ折りされた折
罫線の近傍に前記泡収容部の前記合成樹脂シートを貫通する透孔が形成されているもので
ある。
【００１０】
前記透孔は、前記泡収容部の二つ折りされた折罫線上に位置し、前記透孔の中心は前記
折罫線から離れて、前記合成樹脂シートを二つ折りした前記泡収容部の一方の面に位置し
、前記透孔の中心が位置する面に開口した前記透孔の一部分の面積は、前記泡収容部の反
対側の面に開口した前記透孔の他の部分の面積よりも大きく形成したものでも良い。
【考案の効果】
【００１１】
この考案の発泡入浴玩具は、簡単な構造で、安定して移動しながら浴槽の湯面全体にき
め細かな泡を満たすことができる。気泡発生成分と界面活性成分を有する発泡剤により、
湯面にきめ細かな泡を容易に浮かべ、快適に入浴することができる。また、安価で使用し
やすく、使用後の廃棄も容易である。
【図面の簡単な説明】
【００１２】
【図１】この考案の一実施形態の発泡入浴玩具の正面図である。
【図２】この実施形態の発泡入浴玩具の背面図である。
【図３】この実施形態の発泡入浴玩具の変形例を示す正面図である。
【図４】この実施形態の発泡入浴玩具の変形例を示す背面図である。
【考案を実施するための形態】
【００１３】
以下、この考案の実施形態について図面に基づいて説明する。図１、図２はこの考案の
一実施形態を示すもので、この実施形態の発泡入浴玩具１０は、熱可塑性の合成樹脂シー
トで作られた袋体１２が設けられている。袋体１２は、左右対称形の合成樹脂シート２０
を二つ折りして、二つ折りされた折罫線１２ｃとは反対側の折り重ねられた側の側縁部１
２ａをヒートシールしたものである。袋体１２は、上半部の幅が広く、子ブタ等のキャラ
クターが形取られ、下半部の底部１２ｂに近づくに従い幅が狭くなっている。袋体１２の
下半部は、底部１２ｂ付近を除いて、全面に通水用の小形の小穴部１４が多数設けられ、
袋体１２の内外に通水性を確保している。
【００１４】
袋体１２の底部１２ｂには、重り１６が取り付けられている。重り１６は、袋体１２の
底部１２ｂに沿う長い三日月状又は棒状に形成された合成樹脂のブロック体であり、長手
方向の両端部は水の抵抗を少なくするように細くなっている。重り１６は、袋体１２の底
部１２ｂの端部を両側から挟んで係止するように２個のパーツを組み合わせて袋体１２に
取り付けるものでもよい。
【００１５】
袋体１２の上半部は、泡収容部１８として設けられている。合成樹脂シート２０を二つ
折りした泡収容部１８の、二つ折りされた折罫線１２ｃの近傍の正面１８ａには、透孔２
２が設けられている。透孔２２は、袋体１２の泡収容部１８の正面１８ａ側の合成樹脂シ
ート２０の内外を連通するものである。また、泡収容部１８の合成樹脂シート２０の表面
には、子ブタ等の動物や船等の絵柄２４が印刷されている。泡収容部１８の正面１８ａと
背面１８ｂの絵柄２４は、図１、図２に示すように、異なるものでもよく、同じデザイン
でもよい。また、図２に仮想線で示すように、正面１８ａの透孔２２とは回転対称な背面
１８ｂの位置に、透孔２２を形成しても良い。
【００１６】
袋体１２内には、気泡発生成分と界面活性成分を有する発泡剤２６が入れられている。
発泡剤２６は二層構造の錠剤であり、炭酸成分等の気泡発生成分の層と、石鹸等を含む界
面活性成分の層が設けられている。その他、保湿成分や各種温泉成分等が入れられてもよ
い。なお、界面活性成分の層は、気泡発生成分の層よりも薄く形成されている。
【００１７】
気泡発生成分としては、例えば炭酸ナトリウム５０％、コハク酸４２％、ポリビニルピ
ロリドンまたはリンゴ酸１％、ポリエチレングリコール等の滑沢剤５％、粉末洗剤２％等
である。界面活性成分としては、炭酸水素ナトリウム１８％、炭酸ナトリウム２５％、コ
ハク酸２５％、滑沢剤２０％、粉末洗剤１２％等である。これらの成分や層の構成は適宜
変更し得る。
【００１８】
次に、この実施形態の発泡入浴玩具１０の使用方法について説明する。まず、発泡入浴
玩具１０を浴槽の浴湯に入れると、重り１６が重いため、重り１６を下にしてゆっくり水
面の下に沈み、袋体１２の小穴部１４を通過して浴湯が袋体１２の内側に流入する。浴湯
が発泡剤２６を溶かし、溶けた石鹸に発生した炭酸ガスが当たり、撹拌され泡立つ。この
泡は袋体１２内から上昇して上方の泡収容部１８に溜まり、発泡入浴玩具１０は水面に浮
かび、泡収容部１８が水面から出る。これにより、絵柄２４のブタが浴湯の水面に浮かん
でいるように見える。このとき透孔２２は、水面又は水面より少し上または下に位置して
いる。
【００１９】
そして、泡収容部１８内に充満した泡が、透孔２２から外に吐き出される。これにより
、発泡入浴玩具１０は、正面１８ａ側を内側にして湯面で円を描くように回転する。これ
は、透孔２２が泡収容部１８の正面１８ａの二つ折りされた折罫線１２ｃの近傍に設けら
れているため、吐き出された泡の反力により、発泡入浴玩具１０が透孔２２の開口方向と
反対に進もうとし、発泡入浴玩具１０は、透孔２２とはヒートシールされた側縁部１２ａ
側を先頭にして進み、一定の場所で回転する。そして透孔２２から吐き出された泡は浴湯
表面に自然に広がり、湯面に満たされる。さらに、図２の仮想線で示すように、正面１８
ａの透孔２２とは回転対称な背面１８ｂの位置に、透孔２２を形成すると、発泡入浴玩具
１０は、より小さい円を描いて湯面で回転する。
【００２０】
この実施形態の発泡入浴玩具１０によれば、簡単に泡を立て、浴湯に満たすことができ
、入浴時に泡の感触を得ることができ、快適に体を洗うことができる。泡収容部１８は、
透孔２２の上方に泡が溜まる十分な容積を有しているため、泡が充満して空気溜まりとな
って確実に浴湯に浮かぶことができる。また、袋体１２の底部１２ｂ付近には小穴部１４
が設けられていないため底部１２ｂから空気が漏れることが無く、効率良く泡を泡収容部
１８に溜めることができる。泡を泡収容部１８に十分溜めて透孔２２から吐き出すため、
発泡入浴玩具１０が泡の反力で確実に移動し、泡を浴湯に効率よく広げることができ、ま
た絵柄２４が設けられているため玩具のように楽しむことができる。さらに、適度な重さ
の重り１６が水面から下に位置するため、発泡入浴玩具１０は倒れることが無く、安定し
て水面に浮かぶことができる。発泡剤２６は、気泡発生成分と界面活性成分に分かれてい
るため、泡立ちが良好である。また、袋体１２は合成樹脂シートを二つ折りして作られる
ため、安価で製造も簡単であり、使用後の廃棄処分が容易である。その他、使い捨てであ
るため、使用後の処理に手間がかからず、衛生的である。
【００２１】
なお、この実施形態の発泡入浴玩具１０は、泡収容部１８の透孔２２の位置は、水面付
近の高さであれば変更可能である。例えば、図３、図４に示す発泡入浴玩具３０は、合成
樹脂シート２０が二つ折りされた折罫線１２ｃ上に、透孔２８が設けられているものであ
る。透孔２８の中心は、合成樹脂シート２０を二つ折りした泡収容部１８の正面１８ａ側
に位置し、正面１８ａに開口した透孔２８の面積は、反対側の背面１８ｂに開口した透孔
２８の面積よりも大きい。
【００２２】
この発泡入浴玩具３０は、透孔２８が折罫線１２ｃ上に位置するため、水面で大きい半
径の曲線を描いて進むことができる。これは、吐き出された泡の反力が、透孔２８が大き
く開口した正面２８ａ側に大きく作用することにより、発泡入浴玩具１０が斜めに進もう
とするためである。従って、透孔２８の折罫線１２ｃの延長線の位置によって、発泡入浴
玩具３０が進行して描く曲線の大きさを変えることができる。
【００２３】
なお、この考案の発泡入浴玩具は、上記実施の形態に限定されるものではなく、袋体に
入れる発泡剤は、上記二層構造の錠剤以外でもよく、気泡発生成分と界面活性成分が別体
になってもよい。発泡剤の成分は、合成材料等、適宜選択可能であり、発泡剤の形状や形
態も問わない。また、泡収容部の形状や絵柄は自由にデザインすることができる。泡収容
部の透孔の数は２個以上でもよい。透孔の形状は、円以外に三角や矩形など自由にデザイ
ンすることができる。
【符号の説明】
【００２４】
１０  発泡入浴玩具
１２  袋体
１２ａ  周縁部
１２ｂ  底部
１２ｃ  折罫線
１４  小穴部
１６  重り
１８  泡収容部
１８ａ  正面
１８ｂ  背面
２０  合成樹脂シート
２２  透孔
２４  絵柄
２６  発泡剤
【図１】
0003235034.tif 000003
【図２】
0003235034.tif 000004
【図３】
0003235034.tif 000005
【図４】
0003235034.tif 000006